(57)【要約】  【課題】ジャガード織機のデッドスペースを有効に利用することにより、ジャガード織機が大型化するのをなくし、最大の原因である選針手段を手芸や趣味で家庭に設置したり、ジャガード織機の研究等にも簡単に設置することができるようにする。【解決手段】経糸を上下に開口させる開口機構と、この開口を制御するジャガード機構と、経糸を挿通したワイヤヘルドを開口機構で昇降させて開口部を形成し、当該開口に挿入した緯糸を織前側に詰める筬打ち機構と、筬打ちされて織り上げられた布地を巻き取る巻き取りローラとを織機フレームに備え、ジャガード機構は、図柄を読み込ませたコンピュータからの信号を、ドライバーを介して制御される選択操作部と、選択操作部から索条を介してワイヤヘルドを昇降させる駆動部とからなるジャガード織機の織機フレーム間の空間部分に、ジャガード機構を設置し、当該ジャガード機構とワイヤヘルドとを連結する索条にその作動方向変更手段を設け構成した。【選択図】図２
2009249753.tif 000002
【特許請求の範囲】
【請求項１】
経糸ビームと、この経糸ビームから繰り出される経糸を上下に開口させる開口機構と、この開口を制御するジャガード機構と、経糸を挿通したワイヤヘルドを開口機構で昇降させて開口部を形成し、当該開口に挿入た緯糸を織前側に詰める筬打ち機構と、筬打ちされて織り上げられた布地を巻き取る巻き取りローラとを織機フレームに備え、ジャガード機構は、図柄を読み込ませたコンピュータからの信号をドライバーを介して制御される選択操作部と、選択操作部から索条を介してワイヤヘルドを昇降させる駆動部とからなるジャガード織機であって、ジャガード機構を織機フレーム間の空間部分に設置し、当該ジャガード機構とワイヤヘルドとを連結する索条にその作動方向変更手段を設けたことを特徴とするジャガード織機。
【発明の詳細な説明】
【技術分野】
【０００１】
本発明は、精緻な図柄を織り上げることができるジャガード織機に関する。
【背景技術】
【０００２】
一般に、ジャガード織機は、ジャガード機構により経糸を挿通したワイヤヘルドを、模様を表した紋紙の穿孔にしたがって個別に昇降操作することにより複雑な模様や大きな模様を織り上げることができることが知られている。
こうした紋紙を読み取り、これに基づきワイヤヘルドを昇降操作して経糸ビームから繰り出される経糸を個別に上下に開口させる機械式の開口機構としては、例えば特許文献１に開示されているように、ワイヤヘルドの直上に位置させるように構成してある。
【０００３】
この機械式の開口機構は、嵩高く、重量もあることから、近年では特許文献２及び特許文献３に開示されているように、機械部分をコンピュータ制御による電気的な構造の所謂電子式ジャガード装置が提案されている。
しかしながら、こうした電子式ジャガード装置でも当該装置は、ワイヤヘルドの直上に位置させるように構成されている。
【０００４】
上記のようにジャガード装置をワイヤヘルドの直上に位置させるように構成したものでは、織機全体が大型化してしまうことから、手芸や趣味で家庭に設置したり、ジャガード織機の研究等のためには簡単に設置することができないという問題があり、広く普及するにはいたっていないのが現状である。
【特許文献１】特開平５−２４７７７２号公報
【特許文献２】特開２００７−２７７７６７号公報
【特許文献３】特開２００７−５６３８１号公報
【発明の開示】
【発明が解決しようとする課題】
【０００５】
本発明は上記問題点に鑑みて提案されたもので、ジャガード織機のデッドスペースを有効に利用することにより、ジャガード織機が大型化するのをなくし、最大の原因である選針手段を手芸や趣味で家庭に設置したり、ジャガード織機の研究等にも簡単に設置することができるようにすることを目的とするものである。
【課題を解決するための手段】
【０００６】
上記目的を達成するために、本発明にかかるジャガード織機は、経糸ビームと、この経糸ビームから繰り出される経糸を上下に開口させる開口機構と、この開口を制御するジャガード機構と、経糸を挿通したワイヤヘルドを開口機構で昇降させて開口部を形成し、当該開口に挿入した緯糸を織前側に詰める筬打ち機構と、筬打ちされて織り上げられた布地を巻き取る巻き取りローラとを織機フレームに備え、ジャガード機構は、図柄を読み込ませたコンピュータからの信号を、ドライバーを介して制御される選択操作部と、選択操作部から索条を介してワイヤヘルドを昇降させる駆動部とからなるジャガード織機であって、ジャガード機構を織機フレーム間の空間部分に設置し、当該ジャガード機構とワイヤヘルドとを連結する索条にその作動方向変更手段を設けたことを最も主要な特徴とするものである。
【発明の効果】
【０００７】
本発明によれば、選針手段とのワイヤヘルドとを索条の作動方向変更手段を介して連動連結することにより、経糸ビームからワイヤヘルドとの間の本来デッドスペースとなっていた部分である織機フレーム内に選針手段を配設するようにしてあるので、ジャガード織機が選針手段等により大型化するのをなくすことができる。
【０００８】
これにより、手芸や趣味等、家庭でも使用することができるような小形でコンパクトなジャガード織機を生産することができ、家庭に設置したり、ジャガード織機の機構等の研究等にも簡単に設置することができる利点がある。
【発明を実施するための最良の形態】
【０００９】
以下、本発明にかかるジャガード織機の好ましい実施の形態を図面に基づいて説明する。
図１は、本発明に係るジャガード織機の斜視図、図２はその概略の構成を示す側面図であって、図中符号１はジャガード織機を全体的に示す。
このジャガード織機１は、織機フレーム２の後方に図外の整経機で整経された経糸ビーム３を経糸繰り出し回転可能に枢支し、経糸ビーム３からの経糸４をリーズロッド５で各経糸４の張力調整及び配列を整理し、織機フレーム２の織前（前部）６側に枢支された巻き取りローラ７にいたる間に、経糸４を挿通したワイヤヘルド８を昇降させて開口部１９を形成する開口機構１０と、開口機構１０の織前６側には、開口機構１０により形成された開口部９に打ち込まれた緯糸を織前６側に詰める筬打ち機構１１を備えてなる。
【００１０】
上記リーズロッド５はその両端部が織機フレーム２に支持された２本のパイプで構成され、経糸４がこの２本のパイプを交互にくぐることにより、経糸ビーム３からの各経糸４の張力が調整されるとともに、配列が混乱しないように整理される。
上記筬打ち機構１１は、下部が織機フレーム２に枢支され手動により前後に揺動可能な筬枠１２に経糸４が挿通された筬１３を装着して形成されている。
上記開口機構１０は、左右の織機フレーム２・２間の空間部分に設置されたドライバー３０及びジャガード機構１４と、ジャガード機構１４の動作をワイヤヘルド８に伝える索条１５の作動方向を変更する作動方向変更機構１６とからなり、ジャガード機構１４は経糸４を挿通して上昇させるワイヤヘルド８を選択する選択操作部１７と、選択操作部１７で選択されたワイヤヘルド８を、索条１５を介して上昇駆動させる駆動部１８とで構成されている。
【００１１】
ジャガード機構１４の駆動部１８は、図２に矢印Ａで示す方向に往復摺動するナイフ１９と、このナイフ１９に掛合離脱可能な掛合ピン２０とを備えてなる。
一方、上記掛合ピン２０のナイフ１９への掛合離脱を操作する選択操作部１７は、ジャガード機構１４の各掛合ピン２０を個別に操作するロッド２１が、ドライバー３０を介してコンピュータ２２からの操作信号により図外のソレノイドにより昇降操作されるようになっている。
コンピュータ２２には、織り上げる布帛３１に形成する模様乃至柄と、この模様乃至柄が各開口操作ごとに表示されるようなプログラムが保存されており、図１中符号２３で示す開口操作レバーを操作するたびに次の開口並びに模様乃至柄の部位を表示するようにプログラムが更新される。
因みに、開口操作レバー３０は、図示は省略したが連携用リンクを介して上記ナイフ１９を往復摺動させるようになっている。
【００１２】
そして、従来織機フレームの直上に置かれてワイヤヘルドを直接昇降操作するように開口機構のジャガード機構が、本発明では筬打ち機構１１の後部で、左右の織機フレーム２・２内に設置されるために掛合ピン２０とワイヤヘルド８とは両者を連結する索条１５の作動方向を変更する作動方向変更機構１６を介して連結されている。
この作動方向変更機構１６は、掛合ピン２０に連結されたワイヤ２４のフック３２に可撓性を有する索条１５の一端を連結し、掛合ピン２０の水平方向の摺動を下部ローラ２５で上下方向の動きに変換し、これを上部ローラ２６でワイヤヘルド８を昇降させるように構成されている。
尚、図２に符号２７で示すものは、ワイヤヘルド８の垂下姿勢を保持するためのウエイトであり、符号２８は緩衝用のコイルスプリングからなる弾性部材である。
【００１３】
上記のように形成された本発明にかかるジャガード織機１を使用する手順を次に説明する。
織機フレーム２の後部に経糸ビーム３を枢支し、この経糸ビーム３から繰り出した経糸４をリーズロッド５をくぐらせた後、各経糸４をワイヤヘルド８及び筬１３を挿通させて織前６に引き揃え、所定のテンションで巻き取りローラ７に巻きつけると、製織の準備が完了する。
次に、コンピュータ２２を立ち上げて製織開始の初期設定をし、開口操作レバー２３を例えば手前（織前６）側に操作する。
【００１４】
すると、コンピュータ２２が製織開始の初期設定された時点で、開口操作レバー２３の操作開始時のデータがドライバー３０を介して掛合ピン２０のナイフ１９への掛合離脱操作する選択操作部１７に伝えられて所定のロッド２１がソレノイドにより操作され、ジャガード機構１４の掛合ピン２０がナイフ１９に掛合するものと掛合しないものとが決定される。
【００１５】
ジャガード機構１４のナイフ１９に掛合した掛合ピン２０は、上記開口操作レバー２３の操作により、ナイフ１９が図２において右方に摺動すると、これに伴って右方に引き寄せられる。
この移動した掛合ピン２０の動きが索条１５を介して作動方向変更機構１６の下部ローラ２５で上下方向の動きに変換され、これを上部ローラ２６でワイヤヘルド８を昇降させるので、筬１３の前に開口部９が形成される。
斯くして筬１３の前に形成された開口部９に緯糸２９が打ち込まれた後、開口操作レバー２３を戻すと緯糸２９が打ち込まれた開口部９が閉じる。
【００１６】
緯糸２９が打ち込まれた開口部９が閉じると筬１３を手前に引いて緯糸２９を所定の位置に詰める。
そして、開口操作レバー２３が戻されるとこれがリミットスイッチ若しくはセンサでカウントされることにより、次に開口操作レバー２３が操作された時にこの開口操作レバー２３の操作でナイフ１９へ掛合する掛合ピン２０のデータがドライバー３０を介して選択操作部１７に伝えられるようにコンピュータ２２のプログラムが更新される。
従って、再び開口操作レバー２３を手前側に操作すると、更新されたプログラムのデータに基づいて上述したのと同様に、選択操作部１７の所定のロッド２１がソレノイドにより操作され、ジャガード機構１４の掛合ピン２０がナイフ１９への掛合するものと掛合しないものとが決定される。
【００１７】
ジャガード機構１４のナイフ１９に掛合した掛合ピン２０は、上記開口操作レバー２３の操作によりナイフ１９が図２において右方に摺動するのに伴って右方に引き寄せられて移動するため、この移動した掛合ピン２０の動きが索条を介して作動方向変更手段１６の下部ローラ２５で上下方向の動きに変換され、これを上部ローラ２６でワイヤヘルド８を上昇させるので、筬１３の前に開口部９が形成される。
斯くして筬の前に形成された開口部９に緯糸２９が打ち込まれた後、開口操作レバー２３を戻すと緯糸２９が打ち込まれた開口部９が閉じ、緯糸２９が打ち込まれた開口部９が閉じられると、筬１３を手前に引いて緯糸２９が所定の位置に詰めて布帛３１が形成される。
以後こうした動作が繰り返されることにより、コンピュータに収納された所望の複雑な模様や大きな模様を織り上げることが簡便にできるのである。
【００１８】
尚、上記実施の形態では、ドライバー３０を左右の織機フレーム２・２間の空間部分に設置するようにしてあるが、こうしたものに限られず、当該ドライバー３０は織機フレーム２・２外に設置することができるのはいうまでもないことである。
また、上記実施の形態では、経糸４を開口させるのに開口操作レバー２３を用いるようにしてあるがこうしたものに限られず、手織り織機のように足踏みによりナイフ１９を摺動させてワイヤヘルド８を昇降させて経糸を開口させるようにしてもよいことは勿論のことであり、電動モータによりナイフ１９を摺動させてワイヤヘルド８を昇降させ、経糸４を開口させるようにすることもできる。この場合、モータの駆動をは筬１３の揺動操作に連動させるようにすることもできる。
【図面の簡単な説明】
【００１９】
【図１】は本発明にかかるジャガード織機の斜視図である。
【図２】は本発明のスプリンクラーヘッドの縦断面図である。
【符号の説明】
【００２０】
１・・・ジャガード織機
２・・・織機フレーム
３・・・経糸ビーム
４・・・経糸
６・・・織前
７・・・巻き取りローラ
８・・・ワイヤヘルド
９・・・開口部
１０・・・開口機構
１１・・・筬打ち機構
１３・・・筬
１４・・・ジャガード機構
１５・・・索条
１６・・・作動方向変更機構
１７・・・選択操作部
１８・・・駆動部
２２・・・コンピュータ
２９・・・緯糸
３１・・・布帛
【図１】
2009249753.tif 000003
【図２】
2009249753.tif 000004